(57)【要約】【課題】定着時におけるロール紙の搬送モータの騒音を低減したフォトプリンタを提供する。【解決手段】フォトプリンタ１は、イエロー用定着ランプ１４を点灯させ、露光を開始する。フォトプリンタ１は、イエロー用定着ランプ１４を点灯させてから一定時間経過すると、ロール紙１１を給紙側にＬ２だけ搬送する。このＬ２は、イエロー用定着ランプ１４による露光領域の搬送方向の長さである。これにより、イエロー用定着ランプ１４の露光領域で露光し、イエロー画像を定着した印画領域がイエロー用定着ランプ１４の露光領域よりも給紙側に位置し、このイエロー画像を定着した印画領域に連続する印画領域がイエロー用定着ランプ１４の露光領域で露光される。この状態で、一定時間露光しイエロー用定着ランプ１４の露光領域に位置している印画領域におけるイエロー画像を定着する。【選択図】  図８
2005199646.tif 000002
【特許請求の範囲】
【請求項１】
イエロー、マゼンタ、およびシアンの感熱発色層が形成されたロール紙を、サーマルヘッド、マゼンダ画像定着ランプ、およびイエロー画像定着ランプを配置した用紙搬送路に沿って搬送する搬送手段と、
前記ロール紙を前記搬送手段により搬送し、前記イエローの感熱発色層に対して前記サーマルへッドでイエロー画像を印画し、且つイエロー画像を印画した印画領域を前記イエロー画像定着ランプの露光領域で露光し、このイエロー画像を定着するイエロー画像形成手段と、
前記ロール紙を前記搬送手段により搬送し、前記イエロー画像形成手段がイエロー画像を形成した印画領域のマゼンタの感熱発色層に対して前記サーマルヘッドでマゼンタ画像を印画し、且つマゼンタ画像を印画した印画領域を前記マゼンタ画像定着ランプの露光領域で露光し、このマゼンダ画像を定着するマゼンタ画像形成手段と、
前記ロール紙を前記搬送手段により搬送し、前記マゼンタ画像形成手段がマゼンダ画像を形成した印画領域のシアンの感熱発色層に対して、前記サーマルヘッドでシアン画像を印画するシアン画像形成領域と、を備えたフォトプリンタにおいて、
前記イエロー画像形成手段、および前記マゼンダ画像形成手段は、それぞれイエロー画像、マゼンダ画像の定着時に、前記搬送手段によるロール紙の搬送、停止を繰り返して前記印画領域全体を定着ランプの露光領域に位置させて、露光する手段であり、ロール紙の１回の搬送量を、定着ランプの露光領域における搬送方向の長さとしたフォトプリンタ。
【請求項２】
イエロー、マゼンタ、およびシアンの感熱発色層が形成されたロール紙を、サーマルヘッド、マゼンダ画像定着ランプ、およびイエロー画像定着ランプを配置した用紙搬送路に沿って搬送する搬送手段と、
前記ロール紙を前記搬送手段により搬送し、前記イエローの感熱発色層に対して前記サーマルへッドでイエロー画像を印画し、且つイエロー画像を印画した印画領域を前記イエロー画像定着ランプの露光領域で露光し、このイエロー画像を定着するイエロー画像形成手段と、
前記ロール紙を前記搬送手段により搬送し、前記イエロー画像形成手段がイエロー画像を形成した印画領域のマゼンタの感熱発色層に対して前記サーマルヘッドでマゼンタ画像を印画し、且つマゼンタ画像を印画した印画領域を前記マゼンタ画像定着ランプの露光領域で露光し、このマゼンダ画像を定着するマゼンタ画像形成手段と、
前記ロール紙を前記搬送手段により搬送し、前記マゼンタ画像形成手段がマゼンダ画像を形成した印画領域のシアンの感熱発色層に対して、前記サーマルヘッドでシアン画像を印画するシアン画像形成領域と、を備えたフォトプリンタにおいて、
前記イエロー画像形成手段、および前記マゼンダ画像形成手段は、それぞれイエロー画像、マゼンダ画像の定着時に、前記搬送手段によるロール紙の搬送、停止を繰り返して前記印画領域全体を定着ランプの露光領域に位置させて露光する手段であり、ロール紙の１回の搬送量を定着ランプの露光領域における搬送方向の長さ以下としたフォトプリンタ。
【請求項３】
イエロー、マゼンタ、およびシアンの感熱発色層が形成されたロール紙を、サーマルヘッド、マゼンダ画像定着ランプ、およびイエロー画像定着ランプを配置した用紙搬送路に沿って搬送する搬送手段と、
前記ロール紙を前記搬送手段により搬送し、前記イエローの感熱発色層に対して前記サーマルへッドでイエロー画像を印画し、且つイエロー画像を印画した印画領域を前記イエロー画像定着ランプの露光領域で露光し、このイエロー画像を定着するイエロー画像形成手段と、
前記ロール紙を前記搬送手段により搬送し、前記イエロー画像形成手段がイエロー画像を形成した印画領域のマゼンタの感熱発色層に対して前記サーマルヘッドでマゼンタ画像を印画し、且つマゼンタ画像を印画した印画領域を前記マゼンタ画像定着ランプの露光領域で露光し、このマゼンダ画像を定着するマゼンタ画像形成手段と、
前記ロール紙を前記搬送手段により搬送し、前記マゼンタ画像形成手段がマゼンダ画像を形成した印画領域のシアンの感熱発色層に対して、前記サーマルヘッドでシアン画像を印画するシアン画像形成領域と、を備えたフォトプリンタにおいて、
前記イエロー画像形成手段、および前記マゼンダ画像形成手段は、それぞれイエロー画像、マゼンダ画像の定着時に、前記搬送手段によるロール紙の搬送、停止を繰り返して前記印画領域全体を定着用ランプの露光領域に位置させて露光する手段であり、ロール紙の１回の搬送量を、定着用ランプの露光領域における搬送方向の長さの半分としたフォトプリンタ。
【発明の詳細な説明】
【技術分野】
【０００１】
この発明は、イエロー、マゼンタ、シアンの感熱発色層が形成されたロール紙やカット紙にカラー画像を印刷するフォトプリンタに関する。
【背景技術】
【０００２】
従来、イエロー、マゼンタ、シアンの感熱発色層が形成されたロール紙やカット紙にカラー画像を印刷するフォトプリンタがあった。従来のロール紙にカラー画像を印刷する一般的なフォトプリンタは、サーマルヘッド、マゼンタ画像定着用ランプ、イエロー用画像定着ランプをロール紙の搬送路に配置している。ロール紙に対するカラー画像の印刷は、
（１）ロール紙を画像形成開始位置まで排紙側に繰り出し、
（２）ロール紙を給紙側に引き戻しながら、サーマルヘッドによる感熱温度を第１の温度（マゼンタ、およびシアンの完熱発色層が発色しない温度）にして、イエローの感熱発色層に画像を印画し、
（３）ロール紙をイエロー画像の定着開始位置まで排紙側に繰り出し、
（４）ロール紙を給紙側に引き戻しながら、イエロー用画像定着ランプで露光し、（２）で印画したイエロー画像を定着し、
（５）ロール紙を画像形成開始位置まで排紙側に繰り出し、
（６）ロール紙を給紙側に引き戻しながら、サーマルヘッドによる感熱温度を第１の温度よりも高温の第２の温度（シアンの感熱発色層が発色しない温度）にして、マゼンタの感熱発色層に画像を印画し、
（７）ロール紙をマゼンタ画像の定着終了位置まで排紙側に繰り出しながら（６）で印画したマゼンタ画像をマゼンタ用画像定着ランプで露光し、このマゼンタ画像を定着し、
（８）ロール紙を給紙側に引き戻しながら、サーマルヘッドによる感熱温度を第２の温度よりも高温の第３の温度にして、シアンの感熱発色層に画像を印画し、
（９）上記ロール紙を排紙側に繰り出し、今回カラー画像を印刷した部分をロール紙から切り離して排紙し、
（１０）ロール紙を給紙側に引き戻す、
という、上記（１）〜（１０）の工程からなる。
【０００３】
上記画像形成開始位置は今回カラー画像を印刷する画像形成領域の後端がサーマルヘッドよりも排紙側に位置するように設定されており、イエロー画像の定着開始位置は今回カラー画像を印刷する画像形成領域の後端がイエロー用画像定着ランプの露光領域よりも排紙側に位置するように設定されており、マゼンタ画像の定着終了位置は今回カラー画像を印刷する画像形成領域の後端がマゼンタ用画像定着ランプの露光領域に位置するように設定されている。
【０００４】
また、定着時に定着用ランプの照度に応じてロール紙の搬送速度を決定するフォトプリンタが特許文献１で提案されている。
【特許文献１】特開２０００−１７７１５７号公報
【発明の開示】
【発明が解決しようとする課題】
【０００５】
しかしながら、従来のフォトプリンタでは、ロール紙を搬送しながらイエロ−画像やマゼンタ画像を定着している。具体的には、イエロ−画像やマゼンタ画像を印画した印画領域が定着ランプの露光領域を通過しているときの露光により定着している。この方式では、印画したイエロー画像やマゼンタ画像を定着するのに十分な露光を行うには、定着ランプの露光領域における印画領域の通過速度を遅くしなければならない。このため、定着時にロール紙を搬送する搬送モータを低速で回転させており、搬送モータが共振する等、搬送モータによる騒音が大きいという問題があった。
【０００６】
この発明の目的は、定着時におけるロール紙の搬送モータの騒音を低減したフォトプリンタを提供することにある。
【課題を解決するための手段】
【０００７】
この発明のフォトプリンタは、上記の課題を解決するために、以下の構成を備えている。
【０００８】
イエロー、マゼンタ、およびシアンの感熱発色層が形成されたロール紙を、サーマルヘッド、マゼンダ画像定着ランプ、およびイエロー画像定着ランプを配置した用紙搬送路に沿って搬送する搬送手段と、
前記ロール紙を前記搬送手段により搬送し、前記イエローの感熱発色層に対して前記サーマルへッドでイエロー画像を印画し、且つイエロー画像を印画した印画領域を前記イエロー画像定着ランプの露光領域で露光し、このイエロー画像を定着するイエロー画像形成手段と、
前記ロール紙を前記搬送手段により搬送し、前記イエロー画像形成手段がイエロー画像を形成した印画領域のマゼンタの感熱発色層に対して前記サーマルヘッドでマゼンタ画像を印画し、且つマゼンタ画像を印画した印画領域を前記マゼンタ画像定着ランプの露光領域で露光し、このマゼンダ画像を定着するマゼンタ画像形成手段と、
前記ロール紙を前記搬送手段により搬送し、前記マゼンタ画像形成手段がマゼンダ画像を形成した印画領域のシアンの感熱発色層に対して、前記サーマルヘッドでシアン画像を印画するシアン画像形成領域と、を備えたフォトプリンタにおいて、
前記イエロー画像形成手段、および前記マゼンダ画像形成手段は、それぞれイエロー画像、マゼンダ画像の定着時に、前記搬送手段によるロール紙の搬送、停止を繰り返して前記印画領域全体を定着ランプの露光領域に位置させて露光する手段であり、ロール紙の１回の搬送量を、定着ランプの露光領域における搬送方向の長さ以下としたことを特徴とする。
【０００９】
この構成では、イエロー画像やマゼンタ画像の定着時に、ロール紙の搬送、停止を繰り返すことにより、イエロー画像やマゼンタ画像を印画した印画領域を順々に定着ランプの露光領域に位置させて露光する。定着ランプの露光領域に位置している印画領域に対する露光量は、ロール紙の搬送を停止している時間で調整できる。言い換えれば、ロール紙を搬送しているときに定着に必要な露光が行えなくても、搬送を停止している時間の調整で定着に必要な露光が行える。したがって、定着時におけるロール紙の搬送速度を高速にしても、印画したイエロー画像やマゼンタ画像の定着が行える。したがって、定着時にロール紙を搬送する搬送モータを高速で回転させてもよいので、搬送モータの共振等を避けることができる。これにより、定着時におけるロール紙の搬送モータによる騒音が低減できる。
【００１０】
また、ロール紙の１回の搬送量は、定着ランプの露光領域における搬送方向の長さ以下であるので、イエロー画像やマゼンタ画像を印画した印画領域において定着ランプの露光領域で停止しない領域が生じることはなく、印画領域全体に対して十分な露光が行え、印画したイエロー画像やマゼンタ画像の定着が行える。
【００１１】
また、ロール紙の１回の搬送量を定着ランプの露光領域における搬送方向の長さにした場合、今回画像を印画していない領域（未印画領域）が定着ランプの露光領域に位置しているときに定着ランプを消灯しておくことで、この未印画領域が露光されるのを防止でき、従来のフォトプリンタのように未印画領域が露光されるのを防止するためのシャッタを設けなくてもよい。これにより、シャッタにかかる制御が不要となり、カラー画像の形成時における動作制御も簡単になる。
【００１２】
また、１回の搬送量を定着ランプの露光領域における搬送方向の長さの半分にすれば、印画領域全体を露光領域の異なる位置で２回ずつ露光することになり、露光領域における定着ランプの露光量のばらつきによる定着ムラが抑えられる。
【発明の効果】
【００１３】
この発明によれば、定着時にロール紙を搬送する搬送モータを高速で回転させてもよいので、搬送モータの共振等を避けることができる。これにより、定着時におけるロール紙の搬送モータによる騒音が低減できる。
【００１４】
また、ロール紙の１回の搬送量を定着ランプの露光領域における搬送方向の長さにすることで、今回画像を印画していない領域が露光されるのを防止するために設けていたシャッタが不要になり、カラー画像の形成時における動作制御を簡単にできる。
【００１５】
また、ロール紙の１回の搬送量を定着ランプの露光領域における搬送方向の長さの半分にすることで、定着ムラを抑えることができる。
【発明を実施するための最良の形態】
【００１６】
図１は、この発明の実施形態であるフォトプリンタの構成を示す図である。フォトプリンタ１は、本体の動作を制御する制御部２と、印刷するカラー画像の入力を受け付ける印刷画像入力部３と、本体にセットされているロール紙を搬送する搬送部４と、本体にセットされているロール紙にカラー画像を印刷する印刷部５と、を備えている。印刷画像入力部３は、パーソナルコンピュータ等の外部機器から送られてきた画像を印刷画像として受け付ける構成であってもよいし、セットされたメモリカード等の記録媒体に記憶されている画像を印刷画像として読み出す構成であってもよい。搬送部４は、ロール紙を排紙側、  図２は、この実施形態のフォトプリンタにおける印刷部を示す図である。図２において、１１は給紙部にセットされたロール紙である。ロール紙１１は、イエロー、マゼンタ、シアンの感熱発色層が形成された、所謂ＴＡペーパである。１２はロール紙１１のイエロー、マゼンタ、シアンの感熱発色層毎に感熱温度を変えて感熱記録を行うサーマルヘッド、１３はマゼンタの感熱発色層に形成された画像を定着させるマゼンタ用定着ランプ（この発明で言うマゼンダ画像定着ランプ）、１４はイエローの感熱発色層に形成された画像を定着させるイエロー用定着ランプ（この発明で言うイエロー画像定着ランプ）である。
図示していないプラテンローラがロール紙１１を挟んでサーマルヘッド１２に対向配置されている。マゼンタ用定着ランプ１３、イエロー用定着ランプ１４は、それぞれ下面および側面を囲むリフレクタ１３ａ、１４ａに収納されている。１６は、ロール紙１１をカットするカッタである。カッタ１６は、ロール紙１１の幅方向（紙面に対して垂直方向）に移動し、ロール紙１１をカットする。１７、１８は、排紙ローラである。
【００１７】
リフレクタ１３ａの上面である開口面がマゼンタ用定着ランプ１３の露光領域であり、リフレクタ１４ａの上面である開口面がイエロー用定着ランプ１４の露光領域である。リフレクタ１３ａ、１４ａの形状は、露光領域の露光量を略均一にする形状である。また、この発明で言う露光領域における搬送方向の長さは図２中に示すＬ１、Ｌ２であり、Ｌ１はマゼンタ用定着ランプ１３による露光領域における搬送方向の長さであり、Ｌ２はイエロ用定着ランプ１４による露光領域における搬送方向の長さである。
【００１８】
なお、図２においては、ロール紙１１を搬送する搬送ローラについては図示を省略しているが、上述のように搬送部４はロール紙１１を排紙側、および給紙側の両方向に搬送できるように配置されている。また、この実施形態のフォトプリンタ１は、従来の装置に設けていた、今回のカラー画像の印刷に使用しない未印画領域がマゼンタ用定着ランプ１３や、イエロー用定着ランプ１４により露光されるのを防止するためのシャッタを有していない。
【００１９】
次に、この実施形態のフォトプリンタにおけるカラー画像の印刷時の動作について説明する。
【００２０】
フォトプリンタ１は、カラー画像の印刷を行っていない待機時、図３に示すようにロール紙１１が巻き取られた状態である。フォトプリンタ１は、入力された１枚のカラー画像について印刷の要求があると、ロール紙１１を画像形成位置まで繰り出し、ロール紙１１の搬送を停止する（図４参照）。この画像形成位置は、今回カラー画像を印刷するロール紙１１の印画領域後端部がサーマルヘッド１２よりも排紙側に位置するところに設定されている。
【００２１】
次に、フォトプリンタ１は、ロール紙１１を給紙側に引き戻しながら、サーマルヘッド１２による感熱温度をイエローの感熱発色層に画像を印画する第１の温度（マゼンタ、およびシアンの感熱発色層が発色しない温度）にして、ロール紙１１にイエロー画像を印画する（図５参照）。フォトプリンタ１は、イエロー画像の印画が完了すると、ロール紙１１の搬送を停止する（図６参照）。その後、ロール紙１１をイエロー画像の定着開始位置まで繰り出すと、ロール紙１１の搬送を停止する（図７参照）。このイエロー画像の定着開始位置は、今回カラー画像を印刷するロール紙１１の印画領域後端部がイエロー用定着ランプ１４の露光領域の給紙側の端部に位置するところに設定されている。
【００２２】
図８を参照しながら、ロール紙１１に印画したイエロー画像の定着にかかる処理について説明する。図中に示す未印画領域は、今回のカラー画像の印刷に使用されない領域である。この未印画領域と、今回イエロー画像を印画した領域との境界である印画領域後端部を、イエロー用定着ランプ１４による露光領域の給紙側の端部に位置させて、イエロー画像の定着を開始する。まず、フォトプリンタ１は、イエロー用定着ランプ１４を点灯させ、露光を開始する（図８（Ａ）参照）。このとき、ロール紙１１の未印画領域は、イエロー用定着ランプ１４の露光領域に位置していないので、未印画領域が露光されることはない。フォトプリンタ１は、イエロー用定着ランプ１４を点灯させてから一定時間経過すると、ロール紙１１を給紙側にＬ２だけ搬送する（図８（Ｂ）参照）。このＬ２は、上述したように、イエロー用定着ランプ１４による露光領域の搬送方向の長さである。これにより、イエロー用定着ランプ１４の露光領域で露光し、イエロー画像を定着した印画領域がイエロー用定着ランプ１４の露光領域よりも給紙側に位置し、このイエロー画像を定着した印画領域に連続する印画領域がイエロー用定着ランプ１４の露光領域で露光される。この状態で、一定時間露光しイエロー用定着ランプ１４の露光領域に位置している印画領域におけるイエロー画像を定着する。
【００２３】
フォトプリンタ１は、上述のロール紙１１を給紙側にＬ２だけ搬送し、一定時間ロール紙の搬送を停止する処理を繰り返すことで（図８（Ｃ）参照）、印画領域全体をイエロー用定着ランプ１４の露光領域に位置させて一定時間露光し、イエロー画像を定着する。
【００２４】
また、イエロー用定着ランプ１４による露光では、露光不足による未定着の問題だけでなく、過露光による過定着の問題もある。そこで、印画領域の先端部をイエロー用定着ランプ１４の露光領域に位置させるときに、イエロー用定着ランプ１４の露光領域に位置させていない未処理領域の長さがＬ２よりも短い場合も、ロール紙１１を給紙側にＬ２だけ搬送し、一定時間停止する（図８（Ｄ）参照）。この場合、イエロー用定着ランプ１４の露光領域に印画領域が位置しない部分が生じるが、このことが特に問題になることはなく、逆に印画領域全体が略均一に露光でき、未定着領域や過定着領域が発生するのを防止できる。
【００２５】
また、イエロー画像の定着においては、ロール紙１１の搬送を停止している一定時間をイエロー画像の定着に必要な露光量に基づいて決定している。具体的には、イエロー画像の定着に必要な露光量がＡであり、露光位置における単位時間当たりの露光量がＢである場合、ロール紙１１の搬送を停止する一定時間は、
一定時間＝Ａ／Ｂ
である。また、ロール紙１１をＬ２だけ搬送するときの搬送モータの回転数は、搬送モータが共振する回転数を避けた回転数に設定している。したがって、イエロー画像の定着時におけるロール紙１１の搬送モータによる騒音が低減できる。
【００２６】
フォトプリンタ１は、ロール紙１１における今回イエロー画像が印画された全領域をイエロー用定着ランプ１４で露光すると、イエロー用定着ランプ１４を消灯する（図９参照）。
【００２７】
次にフォトプリンタ１は、ロール紙１１を画像形成位置まで繰り出し、ロール紙１１の搬送を停止する（図１０参照）。この画像形成位置は、上述したように今回カラー画像を印刷するロール紙１１の印画領域後端部がサーマルヘッド１２よりも排紙側に位置するところに設定されている。
【００２８】
そして、ロール紙１１を給紙部に引き戻しながら、サーマルヘッド１２による感熱温度をマゼンダの感熱発色層にマゼンタ画像を印画する第２の温度（シアンの感熱発色層が発色しない温度）にして、ロール紙１１にマゼンダ画像を印画する。第２の温度は、第１の温度よりも高温である。フォトプリンタ１は、マゼンダ画像の印画が完了すると、ロール紙１１の搬送を停止する（図１１参照）。その後、ロール紙１１をマゼンダ画像の定着開始位置まで繰り出すと、ロール紙１１の搬送を停止する（図１２参照）。このマゼンダ画像の定着開始位置は、今回カラー画像を印刷するロール紙１１の印画領域先端部がマゼンダ用定着ランプ１４の露光領域の排紙側の端部に位置するところに設定されている
図１３を参照しながら、ロール紙１１に印画したマゼンタ画像の定着にかかる処理について説明する。フォトプリンタ１は、印画領域先端部がマゼンダ用定着ランプ１３の露光領域の排紙側の端部に位置させた状態で、マゼンタ用定着ランプ１３を点灯し、マゼンタ画像の定着を開始する（図１３（Ａ）参照）。マゼンタ用定着ランプ１３を点灯させてから一定時間経過すると、ロール紙１１を排紙側にＬ１だけ搬送する（図１３（Ｂ）参照）。このＬ１は、上述したように、マゼンタ用定着ランプ１３による露光領域の搬送方向の長さである。これにより、マゼンタ用定着ランプ１３の露光領域で露光し、マゼンタ画像を定着した印画領域がマゼンタ用定着ランプ１３の露光領域よりも排紙側に位置し、このマゼンタ画像を定着した印画領域に連続する印画領域がマゼンタ用定着ランプ１３の露光領域で露光される。この状態で、一定時間露光しマゼンタ用定着ランプ１３の露光領域に位置している印画領域におけるマゼンタ画像を定着する。
【００２９】
フォトプリンタ１は、上述のロール紙１１を給紙側にＬ１だけ搬送し、一定時間ロール紙の搬送を停止する処理を繰り返すことで（図１３（Ｃ）参照）、印画領域全体をマゼンタ用定着ランプ１３の露光領域に位置させて一定時間露光し、マゼンタ画像を定着する。
【００３０】
また、マゼンタ用定着ランプ１３による露光では、露光不足による未定着の問題はあるが、過露光による過定着の問題はない。そこで、印画領域の後端部をマゼンタ用定着ランプ１３の露光領域に位置させるときに、マゼンタ用定着ランプ１３の露光領域に位置させていない未定着領域の長さがＬ１よりも短い場合、ロール紙１１を排紙側にＬ１搬送するのではなく、未定着領域の長さだけ搬送する。これにより、図１３（Ｄ）に示すように、マゼンタ用定着ランプ１３の露光領域に、前回露光された印画領域が位置し再露光されるが、上述したようにマゼンタ用定着ランプ１３による露光では過露光による過定着の問題がないので、特に問題は生じない。一方、未印画領域がマゼンタ用定着ランプ１３の露光領域に位置させることがないので、未印画領域が露光されるのを防止できる。
【００３１】
このマゼンタ画像の定着も、上記イエロー画像の定着と同様に、ロール紙１１の搬送を停止している一定時間をマゼンタ画像の定着に必要な露光量に基づいて決定している。具体的には、マゼンタ画像の定着に必要な露光量がＣであり、露光位置における単位時間当たりの露光量がＤである場合、ロール紙１１の搬送を停止する一定時間は、
一定時間＝Ｃ／Ｄ
である。また、ロール紙１１をＬ１だけ搬送するときの搬送モータの回転数は、搬送モータが共振する回転数を避けた回転数に設定している。したがって、マゼンタ画像の定着時におけるロール紙１１の搬送モータによる騒音が低減できる。
【００３２】
フォトプリンタ１は、ロール紙１１における今回マゼンダ画像を印画した印画領域全体をマゼンダ用定着ランプ１３で露光すると、マゼンダ用定着ランプ１３を消灯する（図１４参照）。
【００３３】
フォトプリンタ１は、マゼンタ画像の定着後ロール紙１１を給紙側の引き戻しながら、サーマルヘッド１２による感熱温度をシアンの感熱発色層に画像を印画する第３の温度にして、ロール紙１１にシアン画像を印画する。第３の温度は、第２の温度よりも高温である。フォトプリンタ１は、シアン画像の印画が完了すると、ロール紙１１の搬送を停止する。そして、ロール紙１１を排紙側に繰り出し、印画領域後端部が、カッタ１６によるカット位置よりも排紙側に位置すると、ロール紙１１の搬送を停止し、カッタ１６をロール紙１１の幅方向に移動させて、今回カラー画像を印刷した領域をロール紙１１から切り離す。ここで切り離された部分は、排紙ローラ１７、１８により排紙される。その後、フォトプリンタ１１は、ロール紙１を給紙側に引き戻し、図３に示す状態までロール紙１１を引き戻すと、本動作を終了する。
【００３４】
このように、この実施形態のフォトプリンタ１は、イエロー画像、およびマゼンタ画像の定着時に、ロール紙１１の搬送、停止を繰り返し、停止している時間の調整で定着に必要な露光を行うようにしたので、定着時におけるロール紙１１の搬送速度を高速にしても、印画したイエロー画像やマゼンタ画像の定着が行える。したがって、定着時にロール紙を搬送する搬送モータを高速で回転させてもよいので、搬送モータの共振等を避けることができる。これにより、定着時におけるロール紙１１の搬送モータによる騒音が低減できる。また、従来のようにシャッタを設けなくても、未印画領域が露光されるのを防止できるので、シャッタにかかる動作制御が不要になる。これにより、カラー画像の印刷における制御を簡単にできる。
【００３５】
次に、この発明の別の実施形態について説明する。上記実施形態では、イエロー画像、及びマゼンダ画像の定着時にロール紙をＬ１，Ｌ２ずつ搬送するとしたがこの実施形態ではロール紙を（Ｌ１）／２、（Ｌ２）／２ずつ搬送する点で上記実施形態と異なる。
【００３６】
また、イエロー画像およびマゼンダ画像の定着にかかる工程以外は前の実施形態と同じであるのでここでは説明を省略する。
【００３７】
まず、図１５を参照しながら、ロール紙１１に印画したイエロー画像の定着にかかる処理について説明する。図中に示す未印画領域は、今回のカラー画像の印刷に使用されない領域である。この未印画領域と、今回イエロー画像を印画した領域との境界である印画領域後端部を、イエロー用定着ランプ１４による露光領域の真中に位置させて、イエロー画像の定着を開始する。まず、フォトプリンタ１は、イエロー用定着ランプ１４を点灯させ、露光を開始する（図１５（Ａ）参照）。フォトプリンタ１は、イエロー用定着ランプ１４を点灯させてから一定時間経過すると、ロール紙１１を給紙側に１／２Ｌ２だけ搬送する（図１５（Ｂ）参照）。
【００３８】
フォトプリンタ１は、このロール紙１１を給紙側に（Ｌ２）／２だけ搬送し、一定時間ロール紙の搬送を停止する処理を繰り返すことで（図１５（Ｃ）参照）、印画領域全体をイエロー用定着ランプ１４の露光領域に位置させて一定時間露光し、イエロー画像を定着する。これにより、印画領域は、イエロー用定着ランプ１４の露光領域の異なる位置で２回停止され、露光される。また、印画領域の先端部をイエロー用定着ランプ１４の露光領域に位置させるときも、ロール紙１１を給紙側に（Ｌ２）／２だけ搬送し、一定時間停止する（図１５（Ｄ）参照）。これにより未定着領域や過定着領域が発生するのを防止できる。
【００３９】
また、印画領域をイエロー用定着ランプ１４の露光領域に２回停止させて露光することから、この場合の一定時間は、上記実施形態の半分になる。具体的には、イエロー画像の定着に必要な露光量がＡであり、露光位置における単位時間当たりの露光量がＢである場合、ロール紙１１の搬送を停止する一定時間は、
一定時間＝Ａ／（Ｂ×２）
である。また、ロール紙１１を（Ｌ２）／２だけ搬送するときの搬送モータの回転数は、搬送モータが共振する回転数を避けた回転数に設定している。したがって、イエロー画像の定着時におけるロール紙１１の搬送モータによる騒音が低減できる。また、ロール紙の１回の搬送量を定着ランプの露光領域における搬送方向の長さの半分にしたので露光領域における露光量のバラツキによる定着ムラを抑えることができる。
【００４０】
フォトプリンタ１は、ロール紙１１における今回イエロー画像が形成された全領域をイエロー用定着ランプ１４で露光すると、ロール紙１１の給紙側への搬送を停止し、イエロー用定着ランプ１４を消灯する（図１６参照）。
【００４１】
次に、図１７を参照しながら、ロール紙１１に印画したマゼンタ画像の定着にかかる処理について説明する。フォトプリンタ１は、印画領域先端部がマゼンダ用定着ランプ１３の露光領域の真中に位置させた状態で、マゼンタ用定着ランプ１３を点灯し、マゼンタ画像の定着を開始する（図１７（Ａ）参照）。マゼンタ用定着ランプ１３を点灯させてから一定時間経過すると、ロール紙１１を排紙側に（Ｌ１）／２だけ搬送する（図１７（Ｂ）参照）。
【００４２】
フォトプリンタ１は、上述のロール紙１１を給紙側に（Ｌ１）／２だけ搬送し、一定時間ロール紙の搬送を停止する処理を繰り返すことで（図１７（Ｃ）参照）、印画領域全体をマゼンタ用定着ランプ１３の露光領域に位置させて一定時間露光し、マゼンタ画像を定着する。これにより、印画領域は、マゼンだ用定着ランプ１３の露光領域の異なる位置で２回停止され、露光される。
【００４３】
印画領域の後端部がマゼンタ用定着ランプ１３の露光領域に位置すると、一定時間の２倍経過するのをまってランプを消灯する（図１７（Ｄ）参照）。
【００４４】
このマゼンタ画像の定着も、上記イエロー画像の定着と同様に、ロール紙１１の搬送を停止している一定時間をマゼンタ画像の定着に必要な露光量に基づいて決定している。具体的には、マゼンタ画像の定着に必要な露光量がＣであり、露光位置における単位時間当たりの露光量がＤである場合、ロール紙１１の搬送を停止する一定時間は、
一定時間＝Ｃ／（Ｄ×２）
である。また、ロール紙１１を１／２Ｌ１だけ搬送するときの搬送モータの回転数は、搬送モータが共振する回転数を避けた回転数に設定している。したがって、マゼンタ画像の定着時におけるロール紙１１の搬送モータによる騒音が低減できる。また、ロール紙の１回の搬送量を定着ランプの露光領域における搬送方向の長さの半分にしたので、イエロー画像の定着と同様にマゼンタ用定着ランプ１３の露光領域の異なる位置で一定時間ずつ２回露光している。これにより、定着ムラを抑えることができる。
【００４５】
フォトプリンタ１は、ロール紙１１における今回マゼンダ画像が形成された全領域をマゼンダ用定着ランプ１３で露光すると、ロール紙１１の給紙側への搬送を停止し、マゼンダ用定着ランプ１３を消灯する（図１８参照）。
【００４６】
なお、上記実施形態では、ロール紙１回の搬送量を露光領域における搬送方向の長さ、またはその半分としたが、露光領域における搬送方向の長さ以下であれば、同様の効果を奏する。
【図面の簡単な説明】
【００４７】
【図１】この発明の実施形態であるフォトプリンタの構成を示す図である。
【図２】この発明の実施形態であるフォトプリンタの印刷部を示す図である。
【図３】この発明の実施形態であるフォトプリンタにおける印画工程を説明する図である。
【図４】この発明の実施形態であるフォトプリンタにおける印画工程を説明する図である。
【図５】この発明の実施形態であるフォトプリンタにおける印画工程を説明する図である。
【図６】この発明の実施形態であるフォトプリンタにおける印画工程を説明する図である。
【図７】この発明の実施形態であるフォトプリンタにおける印画工程を説明する図である。
【図８】この発明の実施形態であるフォトプリンタにおける印画工程を説明する図である。
【図９】この発明の実施形態であるフォトプリンタにおける印画工程を説明する図である。
【図１０】この発明の実施形態であるフォトプリンタにおける印画工程を説明する図である。
【図１１】この発明の実施形態であるフォトプリンタにおける印画工程を説明する図である。
【図１２】この発明の実施形態であるフォトプリンタにおける印画工程を説明する図である。
【図１３】この発明の実施形態であるフォトプリンタにおける印画工程を説明する図である。
【図１４】この発明の実施形態であるフォトプリンタにおける印画工程を説明する図である。
【図１５】この発明の実施形態であるフォトプリンタにおける印画工程を説明する図である。
【図１６】この発明の実施形態であるフォトプリンタにおける印画工程を説明する図である
【図１７】この発明の実施形態であるフォトプリンタにおける印画工程を説明する図である。
【図１８】この発明の実施形態であるフォトプリンタにおける印画工程を説明する図である。
【符号の説明】
【００４８】
１−フォトプリンタ
２−印刷部
３−印刷画像入力部
４−搬送部
５−印刷部
１１−ロール紙
１２−サーマルヘッド
１３−マゼンタ用定着ランプ
１４−イエロー用定着ランプ
１５−シャッタ
１６−カッタ
【図１】
2005199646.tif 000003
【図２】
2005199646.tif 000004
【図３】
2005199646.tif 000005
【図４】
2005199646.tif 000006
【図５】
2005199646.tif 000007
【図６】
2005199646.tif 000008
【図７】
2005199646.tif 000009
【図８】
2005199646.tif 000010
【図９】
2005199646.tif 000011
【図１０】
2005199646.tif 000012
【図１１】
2005199646.tif 000013
【図１２】
2005199646.tif 000014
【図１３】
2005199646.tif 000015
【図１４】
2005199646.tif 000016
【図１５】
2005199646.tif 000017
【図１６】
2005199646.tif 000018
【図１７】
2005199646.tif 000019
【図１８】
2005199646.tif 000020